(57)【要約】【課題】遊技機本体から取り外された機構盤を、壁面等に立て掛けることなく、縦姿勢で床面等に置くことができる遊技機を提供すること。【解決手段】パチンコ機の前面枠に着脱可能に取着される機構盤９は、その下端面、即ち、枠フレーム９ａの支持面９ａ１、電源回路基板ボックス１２の下端面１２ａ及び払出制御基板ボックス１６の下端面１６ａが平坦面状に形成され且つ面一にされている。よって、かかる機構盤９の下端面が床面等に当接されると、機構盤９が床面等に縦姿勢で直立される。このように直立された機構盤９を複数並置させることによって、複数の機構盤９が壁面や支持用器具等に立て掛けることなくストックされる。しかも、機構盤９は、各種の基板ボックス１２，１４，１６，１８が支持面９ａ１の形成側部分に配設されることにより、その機構盤９の重心が支持面９ａ１の近傍側に位置され、縦姿勢で直立された場合における安定性が向上されている。【選択図】図２
2008086807.tif 000002
【特許請求の範囲】
【請求項１】
遊技機本体の裏面側に取着される機構盤を備えた遊技機において、
前記機構盤の骨格をなす枠部材と、
その枠部材の少なくとも１の端部に形成される支持面とを備え、
その支持面の近傍に前記機構盤の重心が位置されていることを特徴とする遊技機。
【発明の詳細な説明】
【技術分野】
【０００１】
遊技機本体の裏面側に取着される機構盤を備えた遊技機に関し、特に、遊技機本体から取り外された機構盤を、壁面等に立て掛けることなく、縦姿勢で床面等に置くことができる遊技機に関するものである。
【背景技術】
【０００２】
球を遊技領域へ打ち込んで遊技を行うパチンコ機は、賞球や貸し球を払い出す球払出装置を搭載した機構盤を備えている。この機構盤は、遊技盤や前面枠の裏面側に開閉可能かつ着脱可能に取着される枠フレームを備えており、この枠フレームは、主に、その上部に配設される球タンクと、その球タンクと連設され球払出装置へ球を誘導するタンクレールと、球払出装置により払い出された球を誘導する払出樋と、その払出樋を通過した球を上受皿や下受皿へ供給するため枠フレームの下縁部分に設けられる払出口とを備えている。このように構成された機構盤によれば、球タンクへ供給された球はタンクレールを通過して球払出装置へ供給され、この球払出装置によって払出樋へ１個ずつ送られて払出口へ供給されるのである。
【発明の開示】
【発明が解決しようとする課題】
【０００３】
ところで、上述した枠フレームの払出樋は、払出口とともに枠フレームの下縁部分に設けられている。この払出樋は球を払出口へ流下させるために枠フレームの下縁部分へ向けて下降傾斜されており、かかる下降傾斜とともに枠フレームの下端面も傾斜されている。このように、従来の機構盤は、その枠フレームの下端面が傾斜して形成されるため、単独で直立（縦立）することができなかった。よって、従来のパチンコ機の組立作業時には専用の支持用器具などに機構盤を縦姿勢で立て掛けてストックする必要があり、また、メンテナンス時には遊技盤や前面枠の裏面側から取り外された機構盤を壁面等に立て掛けつつ床面等に置く必要があった。
【０００４】
しかしながら、上記のような専用の支持用器具などに機構盤を立て掛けてストックする場合には、機構盤を縦姿勢にしつつ若干傾けて置く必要があるため、機構盤を直立姿勢で置く場合に比べて、１つの機構盤が占有するスペースが増加してしまう。このため、限られたスペースにより多くの機構盤を設置することができないという問題点があった。
【０００５】
また、機構盤がメンテナンス時に取り外された場合には、かかる機構盤を若干傾けつつ壁面等に立て掛ける必要があるため、機構盤が不安定な状態で壁面等に立て掛けられると、機構盤が誤って転倒して破損してしまうという問題点があった。
【０００６】
本発明は、上述した問題点を解決するためになされたものであり、遊技機本体から取り外された機構盤を、壁面等に立て掛けることなく、縦姿勢で床面等に置くことができる遊技機を提供することを目的としている。
【課題を解決するための手段】
【０００７】
この目的を達成するために請求項１記載の遊技機は、遊技機本体の裏面側に取着される機構盤を備え、前記機構盤の骨格をなす枠部材と、その枠部材の少なくとも１の端部に形成される支持面とを備え、その支持面の近傍に前記機構盤の重心が位置されている。
この請求項１記載の遊技機によれば、機構盤の枠部材における少なくとも１の端部には支持面が形成され、且つ、その支持面の近傍に機構盤の重心が位置されるので、かかる支持面を床面等に当接させることにより、遊技機本体から取り外された機構盤が床面等に縦姿勢で縦立される。
【発明の効果】
【０００８】
本発明の遊技機によれば、機構盤の枠部材における少なくとも１の端部には支持面が形成され、且つ、その支持面の近傍に機構盤の重心が位置されるので、かかる支持面を床面等に当接させることによって、遊技機本体から取り外された機構盤を縦姿勢で縦立させることができるという効果がある。よって、このように縦立された機構盤を複数並置させることにより、機構盤を壁面や支持用器具等に立て掛けることなく多数ストックすることができるという効果がある。
また、従来の機構盤のように、機構盤を若干傾けつつ立て掛ける必要がないので、１つの機構盤が占有する設置スペースを減少させることができる。よって、機構盤を所定面積の設置スペースに複数個ストックする場合には、従来の機構盤を同一面積の設置スペースに複数個ストックする場合に比べて、より多くの機構盤をストックすることができるという効果がある。しかも、遊技機のメンテナンス作業を行う場合に、遊技機から取り外された機構盤を不安定な状態で壁面等に立て掛ける必要がないので、かかる機構盤が誤って転倒して破損することを防止することができるという効果がある。
【発明を実施するための最良の形態】
【０００９】
以下、本発明の好ましい実施例について、添付図面を参照して説明する。図１は、本発明の遊技機の一実施例であるパチンコ機Ｐにおける前面枠１及び遊技盤２の裏面（背面）図であり、ランプ制御基板７や音声制御基板８等に接続される接続線の図示を省略している。
【００１０】
前面枠１は、パチンコ機Ｐ（図４参照）の前面外周に周設される枠状体であり、合成樹脂材料等で略矩形額縁状に形成されている。前面枠１の上部略中央には遊技盤２の外形に適合した略矩形状の開口である収納空間１ａが設けられている。この収容空間１ａが設けられた前面枠１の一側（図１右側）縁部には、その縁部の上側および下側部分に機構盤９のヒンジピン９ｂ，９ｂ（図２参照）が回動可能に軸支されるピン係合部１ｂ，１ｂが１つずつ設けられている。
【００１１】
遊技盤２は、木製の合板等で略矩形平板状に形成されており、その前面に球が打ち込まれる遊技領域（図示せず）が形成されている。この遊技盤２は、前面枠１の収容空間１ａに着脱可能に収容されており、その裏面２ａには遊技盤２の板厚方向（図１の紙面に対する垂直方向）へ貫通した複数の配設穴２ｂ〜２ｅが穿設されている。配設穴２ｂは複数種類の図柄を表示する表示装置（図示せず）が配設される穴であり、配設穴２ｃは第１種始動口（普通電動役物に係る入賞口）を備えた入賞装置（図示せず）が配設される穴であり、配設穴２ｄ，２ｄは、普通入賞口を備えた入賞装置（図示せず）が配設される穴であり、配設穴２ｅは、大入賞口を備えた可変入賞装置（図示せず）が配設される穴である。
【００１２】
また、配設穴２ｅの下方であって遊技盤２の裏面２ａには、遊技盤２の板厚方向（図１の紙面に対する垂直方向）へ貫通したアウト口２ｆが穿設されている。このアウト口２ｆは、各種入賞装置の入賞口へ入賞しなかった球を遊技領域の外部へ排出するための穴である。このアウト口２ｆの上方であって遊技盤２の裏面２ａには、セーフ球集合カバー３が取着されている。
【００１３】
セーフ球集合カバー３は、配設穴２ｃ〜２ｅに配設される各種入賞装置の入賞口へ入賞した球を遊技領域の外部へ排出する部材であり、合成樹脂材料等で形成されている。このセーフ球集合カバー３の下側部分であって配設穴２ｂの下方には、球が通過可能な通路を有する球集合樋３ａが設けられており、この球集合樋３ａにより各種入賞装置へ入賞した入賞球を遊技領域の外部へ排出することができるのである。セーフ球集合カバー３には、配設穴２ｂの一側（図１左側）部分にサブ制御基板ボックス取付ベース４が取着され、このサブ制御基板ボックス取付ベース４にはランプ制御基板ボックス５及び音声制御基板ボックス６が着脱可能に取着されている。
【００１４】
ランプ制御基板ボックス５はランプ制御基板７を収容するものであり、音声制御基板ボックス６は音声制御基板８を収容するものである。ランプ制御基板ボックス５の側縁部分（図１右側）からは、ランプ制御基板７に搭載される２つのコネクタ７ａがランプ制御基板ボックス５の外部に突出（露出）され、音声制御基板ボックス６の側縁部分（図１右側）からは、音声制御基板８に搭載される２つのコネクタ８ａが音声制御基板ボックス６の外部に突出されている。よって、これらの各コネクタ７ａ，８ａを介して各制御基板７，８に接続線をそれぞれ接続することができる。
【００１５】
ランプ制御基板７は、前面枠１、遊技盤２、ガラス扉枠等に配設される複数のランプの点灯又は消灯を制御する回路基板であり、各種の電気部品や電子部品で構成されたランプ制御回路を備えている。このランプ制御基板７は、各コネクタ７ａに接続される接続線によって、複数のランプと後述する主制御基板１５とにそれぞれ電気的に接続されるのである。また、音声制御基板８は、前面枠１に配設されるスピーカから発生される音声を生成する回路基板であり、各種の電気部品や電子部品で構成された音声制御回路を備えている。この音声制御基板８は、各コネクタ８ａに接続される接続線によって、スピーカと後述する主制御基板１５とにそれぞれ電気的に接続されるのである。尚、本実施例では、複数のランプ、ガラス扉枠及びスピーカの図示を省略している。
【００１６】
ところで、これらの各制御基板７，８には、その各制御基板７，８に搭載された各種の電気部品や電子部品を駆動するための直流（以下、「ＤＣ」と称す。）電圧を供給する電源回路が搭載されておらず、かかる駆動用のＤＣ電圧は後述する電源回路基板１３（図２参照）から主制御基板１５（図２参照）を経由して供給される。
【００１７】
図２は、機構盤９の裏面図であり、図３は、その機構盤９の側面図である。なお、図２では、各種の基板１１，１３，１５，１７，１９に接続される接続線の図示を省略し、図３では枠フレーム９ａの一部を断面視している。
【００１８】
図２に示すように、機構盤９は、賞球や貸し球の払い出しを行う球払出装置１０が搭載された部品であり、合成樹脂材料等で略矩形額縁状に形成された枠フレーム９ａを備えている。ところで、この枠フレーム９ａの下縁部（図２下側）には略平坦面状の支持面９ａ１が形成されている。この支持面９ａ１は、枠フレーム９ａを縦姿勢（立て姿勢）で直立させるための面であり、枠フレーム９ａの幅方向略中央部分から枠フレーム９ａの一側端（図２右側）に亘って形成されている。このような支持面９ａ１を備えた枠フレーム９ａによれば、かかる支持面９ａ１を床面等に当接させることにより機構盤９を壁面や支持用器具等に立て掛けることなく、床面等に縦姿勢で直立（縦立）させることができるのである。
【００１９】
枠フレーム９ａの一側（図１右側）であって、その上側および下側部分には、上述した前面枠１のピン係合部１ｂ，１ｂに回動可能に軸支されるヒンジピン９ｂ，９ｂがそれぞれ１つずつ設けられている。このヒンジピン９ｂ，９ｂは機構盤９を前面枠１の裏面側に開閉可能に軸支するための軸部材である。
【００２０】
枠フレーム９ａの略中央部分には、略矩形状の開口である開口窓９ｃが枠フレーム９ａの厚さ方向（図２の紙面に対する垂直方向）に貫通形成されている。この開口窓９ｃは、機構盤９が前面枠１に取着された場合（図４参照）に、遊技盤２の裏面２ａに取着されたセーフ球集合カバー３の一部を機構盤９の裏面側に露出させるための開口であり、この開口窓９ｃから配設穴２ｂ〜２ｅに配設される表示装置や各種入賞装置、並びに、ランプ制御基板ボックス５及び音声制御基板ボックス６が機構盤９の裏側に露出される。
【００２１】
機構盤９の枠フレーム９ａの上部には台管理装置（図示せず）から供給される球が一旦貯留される球タンク９ｄが配設され、この球タンク９ｄの下方には球タンクレール９ｅが連設されている。球タンクレール９ｅは、球タンク９ｄへ供給された球を球払出装置１０へ誘導する樋状の部材であり、この球タンクレール９ｅの下流側端部に球払出装置１０の上部が連設されている（図２右側）。
【００２２】
球払出装置１０は、後述する払出制御基板１７からの電気信号を受けて、賞球や貸し球を所定個数払い出す装置である。この球払出装置１０によれば、払出制御基板１７からの電気信号を受信すると、球タンクレール９ｅにより球払出装置１０の内部へ導かれた球が１個ずつ払出樋９ｆへ払い出すのである。払出樋９ｆは、球払出装置１０により払い出された賞球や貸し球を前面枠１に設けられる上受皿または下受皿（図示せず）へ誘導する樋状の部材であり、この払出樋９ｆの内部には球払出装置１０から払い出された球が通過可能な通路が設けられている。この払出樋９ｆの通路は、球払出装置１０の下部から枠フレーム９ａの下縁部（図２下側）へ向けて連通され、枠フレーム９ａの支持面９ａ１に開口形成される払出口９ｇと連通されている。
【００２３】
払出口９ｇは、払出樋９ｆを通過した球を前面枠１の下受皿へ排出する開口であり、枠フレーム９ａの幅方向（図２左右方向）略中央部分に形成されている。一方、払出口９ｇの左方には、球排出口９ｈが設けられている。この球排出口９ｈは、上述した各種入賞装置の入賞口へ入賞した入賞球やアウト口２ｆから排出されたアウト球を台管理装置へ排出するための開口である。
【００２４】
枠フレーム９ａにおける球タンク９ｄの右方には、枠フレーム９ａの裏面側に取着された電源中継基板１１が配設されている。
【００２５】
電源中継基板１１は、台管理装置から供給される交流（以下、「ＡＣ」と称す。）電圧２４Ｖを中継して、後述する電源回路基板１３へ供給する中継基板であり、台管理装置のＡＣ電源と電気的に接続可能なＡＣコード１１ａを備えている。よって、電源中継基板１１は、ＡＣコード１１ａを介して台管理装置からＡＣ電圧２４Ｖの供給を受けることができるのである。
【００２６】
電源中継基板１１には、過電流保護器の１種である２本のヒューズ１１ｂ，１１ｃがぞれぞれ電気的に接続されている。ヒューズ１１ｂは、電源中継基板１１がＡＣ電圧２４Ｖを電源回路基板１３へ供給する場合に電源回路基板１３への過電流を防止するものであり、ヒューズ１１ｃは、電源中継基板１１がＡＣ電圧２４Ｖをカードユニット（図示せず）へ供給する場合にカードユニットへの過電流を防止するものである。なお、カードユニットは、金銭と同等の有価価値を有するプリペイドカード等の有価価値媒体に記録された残高金額のデータを読み取るための装置である。
【００２７】
この電源中継基板１１は、枠フレーム９ａの裏面下部に取着された電源回路基板ボックス１２に収容される電源回路基板１３と接続線（図示せず）を介して電気的に接続されている。
【００２８】
電源回路基板ボックス１２は、後述する主制御基板１５及び払出制御基板１７等を駆動するためのＤＣ電圧を一括して供給する電源回路基板１３を収容するものであり、透明な合成樹脂材料等で略中空箱状体に形成されている。図３に示すように、電源回路基板ボックス１２の下端面１２ａは略平坦面状に形成されており、枠フレーム９ａの支持面９ａ１と面一とされている。よって、機構盤９の下端面の面積は、枠フレーム９ａの支持面９ａ１の面積に加えて、電源回路基板ボックス１２の下端面１２ａの面積分だけ拡大される。
【００２９】
このため、機構盤９を床面等に直立させる場合には、かかる電源回路基板ボックス１２の下端面１２ａの面積分、機構盤９と床面等との接地面積が拡大されるので、機構盤９を安定した状態で床面等に直立させることができる。しかも、図２に示すように、電源回路基板ボックス１２は、枠フレーム９ａの幅方向（図２左右方向）略中央部分に取着されるので、機構盤９を更に安定した状態で床面等に直立させることができるのである。
【００３０】
また、電源回路基板ボックス１２の一側（図２右側）縁部からは、電源回路基板１３に搭載されたコネクタ１３ａ，１３ｂが電源回路基板ボックス１２の外部に突出されており、かかるコネクタ１３ａ，１３ｂを介して電源回路基板１３に接続線を接続することができる。よって、電源回路基板１３は、図４に示すように、各コネクタ１３ａ，１３ｂに接続される接続線ＫＢ１，ＫＢ２を介して、後述する主制御基板１５及び払出制御基板１７とそれぞれ電気的に接続されるのである。
【００３１】
電源回路基板１３は、図２に示すように、電源回路基板ボックス１２内に収容されている。電源回路基板１３は、電源中継基板１１で中継されたＡＣ電圧２４Ｖを所定値のＤＣ電圧に変換して、そのＤＣ電圧を主制御基板１５及び払出制御基板１７へ供給する電源回路を備えている。この電源回路は、多数の電気部品や電子部品で構成されており、主に、ＡＣ電圧を全波整流するダイオードブリッジと、そのダイオードブリッジにより全波整流された電圧値波形を平滑化するコンデンサーと、そのコンデンサーにより平滑化された電圧を所定の電圧値に安定化して出力するレギュレータと、そのレギュレータの放熱を行う放熱フィンとで構成されている。
【００３２】
この電源回路基板１３によれば、その電源回路で変換されるＤＣ電圧の値は、例えば、ＤＣ電圧５Ｖ、ＤＣ電圧１２Ｖ、ＤＣ電圧２４Ｖ、ＤＣ電圧３０Ｖであり、これらの各ＤＣ電圧がコネクタ１３ａ，１３ｂに接続される接続線を介して、主制御基板１５及び払出制御基板１７へ供給され、更に、この各制御基板１５，１７を経由して、他の制御基板７，８，１９へ供給されるのである。
【００３３】
また、電源回路基板１３の電源回路を構成する多数の電気部品や電子部品は、重量が比較的大きな部品であるので、その分、電源回路基板１３の重量が大きくなる。一方、電源回路基板ボックス１２には、電源回路基板１３の半田面との対向部分にその半田面と間隔を隔てて金属製のアース板（図示せず）が配設されている。アース板は、電源回路基板１３の電源回路へ侵入する電気的ノイズを遮蔽するものであり、電源回路基板１３のグランドと電気的に接続されている。
【００３４】
このように電源回路基板ボックス１２には、重量の大きな電源回路基板１３や金属製のアース板が配設されるので、その重量が大きくなる。かかる重量の大きな電源回路基板ボックス１２は、枠フレーム９ａの幅方向（図２左右方向）略中央部分であって、枠フレーム９ａの支持面９ａ１側に取着されるので、機構盤９全体としての重心位置を枠フレーム９ａの支持面９ａ１側に位置させることができる。このように、機構盤９の重心位置を枠フレーム９ａの支持面９ａ１側に位置させることにより、機構盤９を更に安定した状態で床面等に直立させることができるのである。
【００３５】
電源回路基板ボックス１２の上方であって、枠フレーム９ａにおける開口窓９ｃの下縁部分には、主制御基板ボックス取付ベース１４ａを介して、主制御基板ボックス１４が配設されている。
【００３６】
主制御基板ボックス１４は、パチンコ機Ｐにおける遊技全体の制御を行う主制御基板１５を収容するものであり、透明な合成樹脂材料等で略中空箱状体に形成されている。この主制御基板ボックス１４の下縁部分（図２下側）からは、主制御基板１５に搭載される１のコネクタ１５ａが主制御基板ボックス１４の外部に突出されている。このコネクタ１５ａに接続される接続線ＫＢ１（図４参照）を介して、主制御基板１５は電源回路基板１３と電気的に接続されるのである。
【００３７】
一方、主制御基板ボックス１４の上縁部分（図２上側）からは、主制御基板１５に搭載される複数（９個）のコネクタ１５ｂが主制御基板ボックス１４の外部に突出されている。この複数のコネクタ１５ｂに接続される各接続線（図示せず）を介して、主制御基板１５は、遊技盤２に配設される表示装置や各種入賞装置、ランプ制御基板７および音声制御基板８等とそれぞれ電気的に接続されるのである。
【００３８】
ここで、主制御基板１５は、パチンコ機Ｐの遊技全体を制御するため、ＭＰＵなどの各種の電気部品や電子部品で構成された主制御回路を備えている。一方で、主制御基板１５には、その主制御回路を構成する電気部品や電子部品を駆動するためのＤＣ電圧を供給する電源回路が搭載されていない。このため、かかる主制御基板１５は、コネクタ１５ａに接続される接続線ＫＢ１（図４参照）を介して、電源回路基板１３から駆動用のＤＣ電圧の供給を受けるように構成されている。
【００３９】
具体的には、電源回路基板１３の電源回路で変換された各種のＤＣ電圧は、接続線ＫＢ１（図４参照）を介して主制御基板１５の主制御回路へ供給される一方、その主制御基板１５を経由して、表示装置、各種入賞装置、ランプ制御基板７および音声制御基板８へ供給されるのである。また、主制御基板１５を収容する主制御基板ボックス１４の右方には、枠フレーム９ａの裏面右下部（図２右下側）に取着された払出制御基板ボックス１６が配設されている。
【００４０】
払出制御基板ボックス１６は、上述した球払出装置１０等の制御を行う払出制御基板１７を収容するものであり、透明な合成樹脂材料等で略中空箱状体に形成されている。図３に示すように、払出制御基板ボックス１６の下端面１６ａは略平坦面状に形成されており、枠フレーム９ａの支持面９ａ１と面一とされている。よって、機構盤９の下端面の面積は、枠フレーム９ａの支持面９ａ１及び電源回路基板ボックス１２の下端面１２ａの面積に加えて、払出制御基板ボックス１６の下端面１６ａの面積分だけ更に拡大される。このため、機構盤９を床面等に直立させる場合には、かかる払出制御基板ボックス１６の下端面１６ａの面積分、機構盤９と床面等との接地面積が拡大されるので、機構盤９を更に安定した状態で床面等に直立させることができる。
【００４１】
また、払出制御基板ボックス１６には、払出制御基板１７の半田面との対向部分にその半田面と間隔を隔てて金属製のアース板（図示せず）が配設されている。アース板は、払出制御基板１７の電源回路へ侵入する電気的ノイズを遮蔽するものであり、払出制御基板１７のグランドと電気的に接続されている。このように、払出制御基板１７を収容し且つ金属製のアース板が配設された払出制御基板ボックス１６を、枠フレーム９ａの支持面９ａ１側に取着することによって、機構盤９全体としての重心位置がより枠フレーム９ａの支持面９ａ１側に位置されるので、機構盤９を更に安定した状態で床面等に直立させることができる。
【００４２】
図２に示すように、払出制御基板ボックス１６の下縁部（図２下側）からは、払出制御基板１７に搭載される１のコネクタ１７ａが払出制御基板ボックス１６の外部に突出されている。このコネクタ１７ａに接続される接続線ＫＢ２（図４参照）を介して、払出制御基板１７は電源回路基板１３と電気的に接続されるのである。
【００４３】
また、払出制御基板ボックス１６の外壁面からは、コネクタ１７ａの他に、払出制御基板１７に搭載される複数（８個）のコネクタ１７ｂが払出制御基板ボックス１６の外部に突出されている。この複数のコネクタ１７ｂに接続される接続線（図示せず）を介して、払出制御基板１７は、球貸操作ユニット、カードユニット、球払出装置１０、発射制御基板１９等とそれぞれ電気的に接続されるのである。
【００４４】
払出制御基板１７は、前面枠１の前面に配設される球貸操作ユニット（図示せず）、カードユニット、並びに、機構盤９に配設される球払出装置１０及び発射制御基板１９（後述する）などの各種装置の制御を行う回路基板であり、これらの各種装置を制御するために各種の電気部品や電子部品で構成された払出制御回路を備えている。一方で、払出制御基板１７は、その払出制御回路を構成する電気部品や電子部品を駆動するための直流電圧を供給する電源回路が搭載されていない。このため、かかる払出制御基板１７は、コネクタ１７ａに接続される接続線を介して、電源回路基板１３から駆動用のＤＣ電圧の供給を受けるように構成されている。
【００４５】
具体的には、電源回路基板１３の電源回路で変換された各種のＤＣ電源は、接続線ＫＢ２（図４参照）を介して払出制御基板１７の払出制御回路へ供給される一方、その払出制御基板１７を経由して、球貸操作ユニット、カードユニット、球払出装置１０及び発射制御基板１９等へ供給されるのである。
【００４６】
また、払出制御基板１７を収容する払出制御基板ボックス１６の左方には、枠フレーム９ａの裏面左下部（図２左下側）に取着された発射制御基板ボックス１８が配設されている。
【００４７】
発射制御基板ボックス１８は、後述する球発射装置２３の制御を行う発射制御基板１９を収容するものであり、透明な合成樹脂材料等で略中空箱状体に形成されている。発射制御基板ボックス１８の下縁部（図２下側）からは、発射制御基板１９に搭載される複数のコネクタ１９ａが発射制御基板ボックス１８の外部に突出されており、これらの各コネクタ１９ａを介して、発射制御基板１９に接続線を接続することができる。この各コネクタ１９ａに接続される接続線を介して、発射制御基板１９は、球発射装置２３及び払出制御基板１７とそれぞれ電気的に接続されるのである。
【００４８】
発射制御基板１９は、球の発射を許可を示す発射許可信号等を払出制御基板１７から受信することによって、球発射装置２３の発射モータ２３ａを駆動するドライブ電圧を生成し、球発射装置２３へ送信する回路基板であり、各種の電気部品や電子部品で構成された発射制御回路を備えている。
【００４９】
以上のように、機構盤９は、電源回路基板ボックス１２、主制御基板ボックス１４、払出制御基板ボックス１６および発射制御基板ボックス１８が本体フレーム９ａの下側部分、即ち、支持面９ａ１の形成側部分に配設されることによって、かかる機構盤９の重心が、更に、支持面９ａ１の近傍側に位置するように構成されている。
【００５０】
図４は、パチンコ機Ｐの裏面図であり、図４では、接続線ＫＢ１，ＫＢ２を除く他の接続線の図示を省略している。図４に示すように、上述した機構盤９は、その各ヒンジピン９ｂ，９ｂが前面枠１の各ピン係合部１ｂ，１ｂに軸支され、かかる軸支により前面枠１の裏面側に開閉可能に支持されている。このように支持された機構盤９の開口窓９ｃには役物カバー２０が被せられている。
【００５１】
役物カバー２０は、機構盤９の開口窓９ｃから露出される遊技盤２の裏面２ａを覆う部材であり、セーフ球集合カバー３に隣接されるカバー支持部材２１により開閉可能に支持されている。このように役物カバー２０で開口窓９ｃが覆い塞がれることによって、遊技盤２に配設される表示装置や各種入賞装置、ランプ制御基板ボックス５、音声制御基板ボックス６、及び、主制御基板１５の各コネクタ１５ｂが覆われている。
【００５２】
電源回路基板１３のコネクタ１３ａには接続線ＫＢ１の一端側が接続され、この接続線ＫＢ１の他端側には主制御基板１５のコネクタ１５ａが接続されている。かかる接続線ＫＢ１の接続により電源回路基板１３と主制御基板１５とは電気的に接続されるので、電源回路基板１３から主制御基板１５へＤＣ電圧を供給することができるのである。
【００５３】
一方、電源回路基板１３のコネクタ１３ｂには接続線ＫＢ２の一端側が接続され、この接続線ＫＢ２の他端側には払出制御基板１７のコネクタ１７ａが接続されている。かかる接続線ＫＢ２の接続により電源回路基板１３と払出制御基板１７とは電気的に接続されるので、電源回路基板１３から払出制御基板１７へＤＣ電圧を供給することができるのである。
【００５４】
また、前面枠１の下部には、遊技盤２の遊技領域（図示せず）へ球を打ち込むための球発射装置２３が配設されている。この球発射装置２３は、主に、球を発射するための動力を発生させる発射モータ２３ａを備え、上述した発射制御基板１９（図２参照）の発射制御回路で生成されたドライブ電圧を受信することにより発射モータ２３ａが駆動されるのである。
【００５５】
次に、上記のように構成されたパチンコ機Ｐの組立方法について説明する。まず、図２に示す機構盤９が縦姿勢で床面等に直立される。具体的には、機構盤９の下端面、即ち、枠フレーム９ａの支持面９ａ１、電源回路基板ボックス１２の下端面１２ａ及び払出制御基板ボックス１６の下端面１６ａが床面等に当接されると、機構盤９が床面等に縦姿勢で直立される。このように直立された機構盤９を複数並置させることにより、複数の機構盤９が壁面や支持用器具等に立て掛けられることなくストックされる。
【００５６】
その後、ストックされた複数の機構盤９から一つの機構盤９が取り上げられ、各ヒンジピン９ｂ，９ｂが図１に示す前面枠１の各ピン係合部１ｂ，１ｂにそれぞれ係合される。かかる係合によって、機構盤９のヒンジピン９ｂ，９ｂが前面枠１のピン係合部１ｂ，１ｂにそれぞれ軸支されて、機構盤９が前面枠１に開閉可能に支持される。
【００５７】
この機構盤９がヒンジピン９ｂ，９ｂを中心に遊技盤２の裏面２ａへ向けて閉鎖されると、その閉鎖に伴って、機構盤９の開口窓９ｃから遊技盤２の配設穴２ｂ〜２ｅに配設される表示装置や各種入賞装置、並びに、ランプ制御基板ボックス５及び音声制御基板ボックス６が機構盤９の裏側に露出される。機構盤９の閉鎖後、役物カバー２０がカバー支持部材に取着され、かかる役物カバー２０が閉鎖されると、機構盤９の開口窓９ｃのほぼ全域が覆われて、パチンコ機Ｐが図４に示す状態となり、パチンコ機Ｐの組立作業が完了する。
【００５８】
次に、パチンコ機Ｐのメンテナンス方法について説明する。例えば、遊技機２の裏面２ａに配設される表示装置や各種入賞装置のメンテナンス作業を行う場合には、上述したパチンコ機Ｐの組立作業の動作と逆の動作が行われる。即ち、まず、役物カバー２０が開放され、カバー支持部材２１から取り外される。役物カバー２０の取り外し後、機構盤９が開放され、その機構盤９の各ヒンジピン９ｂ，９ｂが前面枠１のピン係合部１ｂ，１ｂから抜かれる。各ヒンジピン９ｂ，９ｂが抜き外されると、機構盤９が前面枠１から取り外される。
【００５９】
取り外された機構盤９は、その下端面、即ち、枠フレーム９ａの支持面９ａ１、電源回路基板ボックス１２の下端面１２ａ及び払出制御基板ボックス１６の下端面１６ａが床面等に当接されて、床面等に縦姿勢で直立される。このように、パチンコ機Ｐのメンテナンス作業を行う場合に、前面枠１から取り外された機構盤９は、壁面や支持用器具等に傾けつつ立て掛けることなく直立されるので、機構盤９を不安定な状態で壁面等に立て掛ける必要がない。
【００６０】
以上説明したように、本実施例のパチンコ機Ｐの機構盤９によれば、その下端面、即ち、枠フレーム９ａの支持面９ａ１、電源回路基板ボックス１２の下端面１２ａ及び払出制御基板ボックス１６の下端面１６ａが平坦面状に形成され且つ面一にされるので、かかる機構盤９の下端面を床面等に当接させることにより床面等に縦姿勢で直立させることができる。このように直立された機構盤９を複数並置させることにより、複数の機構盤９を壁面や支持用器具等に立て掛けることなくストックすることができるのである。
【００６１】
このため、パチンコ機Ｐの組立作業において、複数の機構盤９を縦姿勢で支持する支持用器具を別途用意する必要がない。また、ストックされる機構盤９は略直立姿勢で直立されるので、機構盤９を支持用器具に若干傾けつつ立て掛ける必要がなく、その分、１つの機構盤９が占有する設置スペースを減少させることができる。よって、機構盤９を所定面積の設置スペースに複数個ストックする場合には、従来の機構盤を同一面積の設置スペースに複数個ストックする場合に比べて、より多くの機構盤９をストックすることができる。
【００６２】
しかも、パチンコ機Ｐのメンテナンス作業を行う場合に、パチンコ機Ｐから取り外された機構盤９は壁面や支持用器具等に立て掛けられることなく直立されるので、例えば、不安定な状態で壁面等に立て掛けられた機構盤９が誤って転倒して、機構盤９が破損することを防止することができる。
【００６３】
また、電源回路基板１３は、ランプ制御基板７、音声制御基板８、主制御基板１５、払出制御基板１７、発射制御基板１９とは別体に形成され、且つ、これらの各制御基板７，８，１５，１７，１９を駆動するための各ＤＣ電圧（例えば、ＤＣ電圧５Ｖ、ＤＣ電圧１２Ｖ、ＤＣ電圧２４Ｖ、ＤＣ電圧３０Ｖ）を一括して供給することができる。よって、各制御基板７，８，１５，１７，１９にそれぞれ個別に電源回路を搭載する必要がないので、その分、各制御基板７，８，１５，１７，１９のコストを低減することができる。
【００６４】
しかも、ＡＣ電源から供給される電力は、電源回路基板１３へＡＣ電圧の状態で供給され、かかる電源回路基板１３が各ＤＣ電圧に変換して各制御基板７，８，１５，１７，１９へ供給するので、各制御基板７，８，１５，１７，１９にＡＣ電圧の過電流を防止するヒューズをそれぞれ個別に設ける必要がない。即ち、電源中継基板１１には、ＡＣ電源から電源回路基板１３へ供給されるＡＣ電圧の過電流を防止するヒューズ１１ｂが１つ接続されるだけなので、パチンコ機Ｐに使用されるヒューズの数を低減することができる。
【００６５】
また、電源回路基板ボックス１２は枠フレーム９ａの支持面９ａ１側に取着されるが、ヒューズ１１ｂが接続される電源中継基板１１は機構盤９の枠フレーム９ａの上部に配設されるので、ヒューズ１１ｂを交換する作業者が身体を屈める必要がなく、かかる交換作業を無理な姿勢をとることなく行うことができる。
【００６６】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６７】
例えば、本実施例では、機構盤９を直立させるため、枠フレーム９ａの下端面に略平坦面状の支持面９ａ１を形成したが、かかる支持面の形成箇所は必ずしもこれに限られるものではなく、機構盤の側端面に略平坦面状の支持面を形成し、かかる支持面を床面等に当接させて機構盤を直立（縦立）させても良い。
【００６８】
また、本実施例では、機構盤９を直立させるため、枠フレーム９ａの支持面９ａ１を枠フレーム９ａの幅方向略中央部分から枠フレーム９ａの一側端（図２右側）に亘って形成したが、かかる支持面を枠フレーム９ａの幅方向全域に亘って形成しても良い。
【００６９】
更に、本実施例では、本発明の遊技機本体として前面枠１および遊技盤２を例に説明したが、例えば、本発明の遊技機本体として、前面枠が取着可能な略矩形額縁状の外枠を適用しても良い。
【００７０】
本実施例では、機構盤９の枠フレーム９ａの支持面９ａ１を略平坦面状に形成することにより、機構盤９を直立可能に構成したが、かかる支持面９ａ１の面形状は必ずしもこれに限られるものではなく、例えば、枠フレームの下端面に複数の凸部を設け、かかる各凸部の先端部分をそれぞれほぼ面一に形成して、これらの複数の凸部の先端面で枠フレームの支持面を構成しても良い。具体的には、枠フレームの下端面に凸字状（リブ状）や尖状（スパイク状）の凸部を複数設け、これらの複数の凸部により枠フレームの支持面を構成しても良い。
【００７１】
また、電源回路基板ボックスの下端面、及び、払出制御基板ボックスの下端面についても複数の凸部を設け、かかる各凸部の先端部分をそれぞれほぼ面一に形成して、これらの複数の凸部の先端面が枠フレームの支持面と面一となるように構成しても良い。
【００７２】
尚、以下に本発明の変形例を示す。請求項１記載の遊技機において、前記支持面は前記枠部材の幅方向略中央に設けられていることを特徴とする遊技機１。
【００７３】
請求項１記載の遊技機、又は、遊技機１において、前記機構盤は前記枠部材における前記支持面の近傍に配設される構成部品を備え、その構成部品の１面は前記支持面と面一にされていることを特徴とする遊技機２。
【００７４】
請求項１記載の遊技機、又は、遊技機１あるいは２において、前記機構盤には重量の大きな構成部品が配設されており、その構成部品は前記枠部材における前記支持面の近傍に配設されていることを特徴とする遊技機３。
【００７５】
遊技機２または３において、前記構成部品は各種の電気部品や電子部品を搭載した回路基板を収容する基板ボックスであることを特徴とする遊技機４。
【００７６】
遊技機２から４のいずれかにおいて、交流電源から供給される交流電力を直流電力に変換する電源回路を有する電源回路基板と、その電源回路基板と電気的に接続されその電源回路基板により電力供給される他の回路基板とを備え、前記構成部品は前記電源回路基板を収容する電源回路基板ボックスであることを特徴とする遊技機５。
【００７７】
遊技機５において、前記他の回路基板は、遊技における各種の制御を行う２以上の制御回路基板であり、前記電源回路基板は、その２以上の制御回路基板と別体に形成され、且つ、その２以上の制御回路基板へそれぞれ電力供給するように構成されていることを特徴とする遊技機６。
【００７８】
請求項１記載の遊技機、又は、遊技機１から６のいずれかにおいて、前記機構盤は、前記遊技盤の裏面側に着脱可能に形成されるとともに、前記枠部材に設けられ遊技内容に応じて球を払い出す払出装置と、その払出装置により払い出される球を誘導する誘導通路とを備えていることを特徴とする遊技機７。
【００７９】
遊技機７において、前記機構盤は、前記誘導通路を通過した球を排出するため、前記枠部材における１の端部に形成される払出口を備えており、前記支持面はその払出口が形成される端部に形成されていることを特徴とする遊技機８。
【図面の簡単な説明】
【００８０】
【図１】本発明の遊技機の一実施例であるパチンコ機における前面枠及び遊技盤の裏面図である。
【図２】機構盤の裏面図である。
【図３】機構盤の側面図である。
【図４】パチンコ機の裏面図である。
【符号の説明】
【００８１】
１          前面枠（遊技機本体の一部）
２          遊技盤（遊技機本体の一部）
３          セーフ球集合カバー（遊技機本体の一部）
９          機構盤
９ａ        枠フレーム（枠部材）
９ａ１      支持面
９ｆ        払出樋（誘導通路）
９ｇ        払出口
１０        球払出装置（払出装置）
１２        電源回路基板ボックス（構成部品の一部、基板ボックス、電源回路基板ボックス）
１２ａ      下端面（構成部品の１面）
１３        電源回路基板（構成部品の一部、回路基板、電源回路基板）
１５        主制御基板（他の回路基板、制御回路基板）
１６        払出制御基板ボックス（構成部品の一部、基板ボックス）
１６ａ      下端面（構成部品の１面）
１７        払出制御基板（構成部品の一部、回路基板、他の回路基板、制御回路基板）
Ｐ          パチンコ機（遊技機）
【図１】
2008086807.tif 000003
【図２】
2008086807.tif 000004
【図３】
2008086807.tif 000005
【図４】
2008086807.tif 000006